(57)【要約】【課題】二種類の回転式電子部品と押圧式電子部品とを一体化してなり、小型化・薄型化が図れる多機能型電子部品を提供する。【解決手段】第一の回転つまみ５０と第一の回転型物４０と第一の電気的機能部６０とを有する第一の回転式電子部品２０と、第一の回転式電子部品２０の上部に積み重ねて設置され、第二の回転つまみ１３０と第二の回転型物９０と第二の電気的機能部１１０とを有する第二の回転式電子部品７０と、第二の回転つまみ１３０の中央に設置される押釦つまみ１６１と押釦つまみ１６１の押圧部１６５によって押圧される第三の電気的機能部１７０とを有する押圧式電子部品１６０と、を具備して構成される多機能型電子部品１である。【選択図】図３
2006140049.tif 000002
【特許請求の範囲】
【請求項１】
第一の回転つまみと、第一の回転つまみと一体に回転する第一の回転型物と、第一の回転型物の回転によってその電気的出力を変化する第一の電気的機能部とを有する第一の回転式電子部品と、
前記第一の回転式電子部品の上部に積み重ねて設置され、第二の回転つまみと、第二の回転つまみと一体に回転する第二の回転型物と、第二の回転型物の回転によってその電気的出力を変化する第二の電気的機能部とを有する第二の回転式電子部品と、
前記第二の回転つまみの中央に設置される押釦つまみと、この押釦つまみの下部に設けた押圧部によって押圧されることでその電気的出力を変化する第三の電気的機能部とを有する押圧式電子部品と、
を具備して構成されていることを特徴とする多機能型電子部品。
【請求項２】
前記第一の回転型物と前記第二の回転型物の間に取付部材を設置し、
前記取付部材に第二の回転型物を回動自在に軸支する第二の軸支部を設け、
且つ前記第二の回転型物の前記第二の軸支部に軸支されている部分に形成される挿入部内に押釦つまみの前記押圧部を貫通することによって、取付部材の下側に設置された第三の電気的機能部を前記押圧部によって操作することを特徴とする請求項１に記載の多機能型電子部品。
【請求項３】
前記第一の回転型物の下側に設置される第一のフレキシブル回路基板と、前記第一の回転型物と前記第二の回転型物の間に設置される第二のフレキシブル回路基板とを具備し、
前記第一のフレキシブル回路基板を伴って前記第一，第三の電気的機能部を設け、前記第二のフレキシブル回路基板を伴って前記第二の電気的機能部を設け、
さらに前記第一，第二のフレキシブル回路基板を一枚のフレキシブル回路基板で一体に構成したことを特徴とする請求項１又は２に記載の多機能型電子部品。
【発明の詳細な説明】
【技術分野】
【０００１】
本発明は、押圧式電子部品と回転式電子部品とを一体化してなる多機能型電子部品に関するものである。
【背景技術】
【０００２】
近年デジタルビデオカメラやデジタルスチルカメラ等の携帯機器においては、その小型化のため、これを操作する各種スイッチ類を一箇所に集積化することが望まれている。そして従来のこの種の多機能型電子部品として、例えば二種類の回転式電子部品を一体化してなるもの（例えば特許文献１参照）や、回転式電子部品と押圧式電子部品とを一体にしてなるもの（例えば特許文献２参照）等があった。
【０００３】
しかしながら近年、さらなる電子機器の小型化・薄型化の要求の中で、二種類の回転式電子部品と押圧式電子部品とを一体化した多機能型電子部品が要望されているが、このような構造の多機能型電子部品はなかった。
【特許文献１】特開２００２−９３２７９号公報
【特許文献２】特開２００１−１８４９６７号公報
【発明の開示】
【発明が解決しようとする課題】
【０００４】
本発明は上述の点に鑑みてなされたものでありその目的は、二種類の回転式電子部品と押圧式電子部品とを一体化してなる多機能型電子部品であって、その小型化・薄型化が図れる多機能型電子部品を提供することにある。
【課題を解決するための手段】
【０００５】
本願請求項１に記載の発明は、第一の回転つまみと、第一の回転つまみと一体に回転する第一の回転型物と、第一の回転型物の回転によってその電気的出力を変化する第一の電気的機能部とを有する第一の回転式電子部品と、前記第一の回転式電子部品の上部に積み重ねて設置され、第二の回転つまみと、第二の回転つまみと一体に回転する第二の回転型物と、第二の回転型物の回転によってその電気的出力を変化する第二の電気的機能部とを有する第二の回転式電子部品と、前記第二の回転つまみの中央に設置される押釦つまみと、この押釦つまみの下部に設けた押圧部によって押圧されることでその電気的出力を変化する第三の電気的機能部とを有する押圧式電子部品と、を具備して構成されていることを特徴とする多機能型電子部品にある。
【０００６】
本願請求項２に記載の発明は、前記第一の回転型物と前記第二の回転型物の間に取付部材を設置し、前記取付部材に第二の回転型物を回動自在に軸支する第二の軸支部を設け、且つ前記第二の回転型物の前記第二の軸支部に軸支されている部分に形成される挿入部内に押釦つまみの前記押圧部を貫通することによって、取付部材の下側に設置された第三の電気的機能部を前記押圧部によって操作することを特徴とする請求項１に記載の多機能型電子部品にある。
【０００７】
本願請求項３に記載の発明は、前記第一の回転型物の下側に設置される第一のフレキシブル回路基板と、前記第一の回転型物と前記第二の回転型物の間に設置される第二のフレキシブル回路基板とを具備し、前記第一のフレキシブル回路基板を伴って前記第一，第三の電気的機能部を設け、前記第二のフレキシブル回路基板を伴って前記第二の電気的機能部を設け、さらに前記第一，第二のフレキシブル回路基板を一枚のフレキシブル回路基板で一体に構成したことを特徴とする請求項１又は２に記載の多機能型電子部品にある。
【発明の効果】
【０００８】
請求項１に記載の発明によれば、第一の回転式電子部品と、第一の回転式電子部品の上部に積み重ねて設置される第二の回転式電子部品と、第二の回転つまみの中央に設置される押圧式電子部品とを具備して構成されているので、二種類の回転式電子部品と押圧式電子部品とを一体化してなる多機能型電子部品をコンパクトに集積して構成することができる。
【０００９】
請求項２に記載の発明によれば、第三の電気的機能部を取付部材の上ではなくその下側に設置でき、従って二種類の回転式電子部品と押圧式電子部品とを一体化してなる多機能型電子部品であっても、その厚みの薄型化が図れる。
【００１０】
請求項３に記載の発明によれば、第一のフレキシブル回路基板を伴って第一，第三の電気的機能部を設け、第二のフレキシブル回路基板を伴って第二の電気的機能部を設け、さらに第一，第二のフレキシブル回路基板を一枚のフレキシブル回路基板で一体に構成したので、部品点数を削減できるばかりか、積層するフレキシブル回路基板は三つの電気的機能部に対して上下二枚で良く、その厚みの薄型化が図れる。
【発明を実施するための最良の形態】
【００１１】
以下、本発明の実施形態を図面に基づいて詳細に説明する。図１は本発明の一実施形態にかかる多機能型電子部品１の斜視図、図２は図１に示す多機能型電子部品１のＡ−Ａ線上断面概略図、図３は図１に示す多機能型電子部品１のＢ−Ｂ線上断面概略図である。これらの図に示すように多機能型電子部品１は、基台１０上に、第一の回転式電子部品２０と、第一の回転式電子部品２０の上部に積み重ねて設置される第二の回転式電子部品７０と、第一，第二の回転式電子部品２０，７０の中央に設置される押圧式電子部品１６０とを具備して構成されている。
【００１２】
ここで第一の回転式電子部品２０は図２，図３に示すように、基台１０上に設置される第一の回路基板（以下この実施形態では「第一のフレキシブル回路基板」という）３１と、第一のフレキシブル回路基板３１上に設置される略リング形状の第一の回転型物４０と、第一の回転型物４０の上部に取り付けられる第一の回転つまみ５０と、前記第一の回転型物４０と前記第一のフレキシブル回路基板３１の間に設置される第一の電気的機能部６０とを具備して構成されている。また第二の回転式電子部品７０は、第一の回転型物４０上部に設置される取付部材１２０の上部に設置される第二の回路基板（以下この実施形態では「第二のフレキシブル回路基板」という）８１と、第二のフレキシブル回路基板８１上に設置される略リング形状の第二の回転型物９０と、第二の回転型物９０の上部に取り付けられる第二の回転つまみ１３０と、前記第二の回転型物９０と前記第二のフレキシブル回路基板８１の間に設置される第二の電気的機能部１１０とを具備して構成されている。なお取付部材１２０の上部には第二の回転型物９０を収納するケース１５０が取り付けられている。また押圧式電子部品１６０は押釦つまみ１６１と、押釦つまみ１６１の下方に設置される第三の電気的機能部１７０とを具備して構成されている。なお取付部材１２０は第一の回転型物４０と第二の回転型物９０の間に設置され、これら第一，第二の回転型物４０，９０はいずれも取付部材１２０に回動自在に軸支されている。以下各構成部品について説明する。
【００１３】
図４は基台１０と、第一，第二のフレキシブル回路基板３１，８１からなる回路基板（以下この実施形態では「フレキシブル回路基板」という）３０とを示す斜視図である。同図に示すように基台１０は剛性を有する略円板状の金属板で構成されており、その所定位置には下記する取付部材１２０に設けた係合部１２３を挿入する小孔からなる取付部１１を複数（この実施形態では二つ）設けている。また基台１０の外周からは帯状の引出部１３が引き出されている。
【００１４】
フレキシブル回路基板３０は前記第一の回転式電子部品２０を構成する第一のフレキシブル回路基板３１と、第二の回転式電子部品７０を構成する第二のフレキシブル回路基板８１とを連結部３７によって一体に連結して構成されており、第一のフレキシブル回路基板３１の外周の前記基台１０の引出部１３に対応する位置から帯状の引出部３７を引き出している。第一のフレキシブル回路基板３１の中央には第三の電気的機能部（以下この実施形態では「二段押圧スイッチ機構」という）１７０が半田やその他の取付手段によって取り付けられており、またこの二段押圧スイッチ機構１７０の周囲の所定位置には円弧状のスイッチパターン３３が設けられ、またその所定位置（前記基台１０の一方の取付部１１に対向する位置）には取付部１１と同一形状の小孔からなる取付部３５が設けられている。前記二段押圧スイッチ機構１７０はケース１７３の上面中央に押圧部１７１を設け、この押圧部１７１をその上側から押圧することで、まず一段目のスイッチがオンし、更に押圧することで二段目のスイッチがオンする構造に構成されている。一方第二のフレキシブル回路基板８１は、その中央に円形の開口部８３を設け、その下面の前記開口部８３の周囲に同心円状にスイッチパターン８５を設けて構成されている。第一のフレキシブル回路基板３１上のスイッチパターン３３には図示しない回路パターンが接続され、これら回路パターンは引出部３７に引き出されている。また第二のフレキシブル回路基板８１下面のスイッチパターン８５にも図示しない回路パターンが接続され、これら回路パターンは図示しないスルーホールによってフレキシブル回路基板３０の上面側に引き出された後に引出部３７に引き出されている。第二のフレキシブル回路基板８１の連結部３７と１８０°対向する外周辺には舌片状の突出部８７を設け、その中に小孔からなる固定部８９を設けている。
【００１５】
第一の回転型物４０は図３に示すように、合成樹脂を略平板リング状に成形することで構成されており、その中央には円形の開口４１が設けられ、開口４１の周囲には上下方向に突出する円筒状の第一の軸部４３が形成されている。第一の軸部４３の下端部は第一のフレキシブル回路基板３１の表面への当接摺動部４３ａとなっている。また第一の回転型物４０の下面には、弾性金属板製の摺動子６１が取り付けられている。摺動子６１はその一対の摺接片６３，６３が前記第一のフレキシブル回路基板３１の上面に設けたスイッチパターン３３（図４参照）に摺接するように設置されており、この摺動子６１とスイッチパターン３３とによって第一の電気的機能部６０が構成されている。第一の回転型物４０の外周の所定位置には半径方向外側に向けて棒状に突出する突出係合片４５が設けられている。突出係合片４５の先端は上方向に屈曲している。第一の回転型物４０の所定位置（複数箇所）には小孔からなる取付孔４７が設けられている。前記円筒状の第一の軸部４３の一部は切り欠かれていて、切り欠かれた軸支部４３の両端面（切り欠かれた面）は図２に点線で示すように、下記するコイルスプリング２００の両端に当接する一対の当接面４８となっている。
【００１６】
第一の回転つまみ５０は図３に示すように、合成樹脂を略リング状に成形して構成されており、その中央には下記する取付部材１２０の中央部分を挿入する開口５１が設けられている。また図２に示すようにリング状の第一の回転つまみ５０の内周部分から半径方向内側に向かって舌片状の突出部５２を突出しこの突出部５２の下面から小突起状の取付突起５３を突出している。一方リング状の第一の回転つまみ５０の内周部分の前記突出部５２と１８０°対向する位置には、半径方向内側に向かって突出する舌片状の突出部５４と半径方向外側に向かって突出するつまみ部５５とが設けられている。突出部５４の下面からは小突起状の取付突起５６を突出している。つまみ部５５は前記第一の回転型物４０の突出係合片４５の上部を覆う位置に設けられ、その先端は上方向に突出してその下面側に突出係合片４５の先端を挿入・係合する凹状の係合部５７を設けている。
【００１７】
取付部材１２０は合成樹脂を略平板状に成形して構成されており、平板状の本体部１２１の外周部分に下方向に向かって突出するリング状の基台部１２２を設け、基台部１２２下面の前記基台１０の取付部１１に対向する位置に小突起状の係合部１２３を設けている。本体部１２１の中央には円形に貫通する貫通部１２５が設けられ、貫通部１２５の周囲には上方向に円筒状に突出する第二の軸支部１２７が設けられ、取付部材１２０の下面には下方向に円筒状に突出する第一の軸支部１２９が設けられている。第一の軸支部１２９の外径は第二の軸支部１２７の外径よりも大きく形成され、また第一，第二の軸支部１２７，１２９の中心軸は一致しており、従って両者は同心円状となっている。また図３に示すように本体部１２１の外周近傍部分の所定位置には、上下に貫通する孔からなる基板挿通部１３１が設けられている。また図２に示すように本体部１２１の下面の所定位置には、二本の平行に突出する突出部１３３，１３３とこれら突出部１３３，１３３の両端を塞ぐ図示しない一対の突出部とによって下方向に開放された箱型の弾発手段収納部１３５が形成されている。前記両端を塞ぐ図示しない一対の突出部には、前記第一の回転型物４０の第一の軸部４３を挿入する図示しないスリット状の縦溝が形成されている。一方図２に示すように、取付部材１２０の前記突出部５２と第一の回転型物４０とを連結する部分には開口１３７が設けられている。開口１３７は第一の回転型物４０及び第一の回転つまみ５０の回転方向に向かって所定の長さ形成されており、この開口１３７の長さによって第一の回転型物４０及び第一の回転つまみ５０の回転角度範囲が規制されている。一方図２に示すように、取付部材１２０の前記突出部５４と第一の回転型物４０とを連結する部分には基台部１２２を含めた本体部１２１の外周を切り欠いてなる切欠部１３９が設けられている。切欠部１３９も第一の回転型物４０及び第一の回転つまみ５０の回転方向に向かって所定の長さ形成されている。また図３に示すように取付部材１２０の上面の前記第二のフレキシブル回路基板８１の固定部８９に対向する位置には小突起状の係止部１４１が設けられている。
【００１８】
第二の回転型物９０は合成樹脂を略円板状に成形して構成されており、その平板状の型物本体部９１の中央にはその上下面から上下方向に突出する円筒状のつまみ軸支部９３が設けられ、型物本体部９１の下面のつまみ軸支部９３の周囲にはつまみ軸支部９３と同芯となる円筒状に突出する第二の軸部９７が設けられ、また型物本体部９１の所定位置には下記する第二の回転つまみ１３０を取り付けるための小孔からなる取付部９９が設けられている。つまみ軸支部９３の中央は下記する押釦つまみ１６１の押圧部１６５を上下動自在に挿入して貫通する円形の挿入部９４となっている。また型物本体部９１の上面外周部分は、下記するクリック板１０７を載置するリング状のクリック板取付面１０１となっている。また第二の回転型物９０の下面には、弾性金属板製の摺動子１０３が取り付けられている。摺動子１０３はその一対の摺接片１０５，１０５が前記第二のフレキシブル回路基板８１に設けたスイッチパターン８５（図４参照）に摺接するように設置されており、この摺動子１０３とスイッチパターン８３とによって第二の電気的機能部１１０が構成されている。なおクリック板取付面１０１上に取り付けられるクリック板１０７は、平板状の金属板をリング状に形成して構成されており、その全周にわたって等間隔に矩形状の複数の貫通する開口１０９を設けている。
【００１９】
第二の回転つまみ１３０は合成樹脂を略円板状に成形して構成されており、その外周部分は下方向に向かって円筒状に形成することでその外周側壁をつまみ部１３１としている。つまみ部１３１は下記するケース１５０の外周を囲む寸法形状に形成されている。また第二の回転つまみ１３０の中央には下記する押釦つまみ１６１のつまみ本体部１６３をその下面側から挿入するつまみ挿入部１３３が設けられ、また第二の回転つまみ１３０の下面の所定位置には下方向に突出して前記第二の回転型物９０に設けた取付部９９に挿入される突起状の固定部１３５が複数箇所に設けられている。
【００２０】
押釦つまみ１６１は合成樹脂を成形して構成されており、円板状のつまみ本体部１６３の下面中央から柱状に押圧部１６５を突出し、またつまみ本体部１６３下面の押圧部１６５の周囲にバネ受け部１６７を設け、さらにつまみ本体部１６３の外周下部にリング状に張り出すつば部１６９を設けている。
【００２１】
ケース１５０は合成樹脂を略円板状に成形して構成されており、その外周部分は下方向に向かって円筒状に形成することでその内側部分を回転型物収納部１５１としている。ケース１５０の中央には円形の開口１５３が設けられており、開口１５３の周囲には下方向に向かって略円筒状に突出する軸受部１５５が設けられ、またケース１５０下面の軸受部１５５の外周側の面は、クリック弾性板取付部１５７となっている。クリック弾性板取付部１５７には、クリック弾性板１８０が取り付けられている。クリック弾性板１８０は弾性を有する金属板をリング状に形成し、その所定位置（複数箇所）に下方向に突出する弾接部１８１を設けて構成されている。
【００２２】
そしてこの多機能型電子部品１を組み立てる一例を説明すると、まず第二の回転つまみ１３０のつまみ挿入部１３３にその下面側から押釦つまみ１６１のつまみ本体部１６３を挿入し、そのつば部１６９を第二の回転つまみ１３０の下面に当接する。次に押釦つまみ１６１の押圧部１６５にその下側から自動復帰用弾発手段（以下この実施形態では「自動復帰用コイルバネ」という）１９０を挿入し、その上端を押釦つまみ１６１のバネ受け部１６７に取り付ける。なお自動復帰用コイルバネ１９０はその径が下方向に向かって徐々に拡大する円錐状のコイルバネである。次にクリック弾性板１８０を取り付けたケース１５０を第二の回転つまみ１３０の下面側に配置し、その際ケース１５０全体を第二の回転つまみ１３０のつまみ部１３１の内側に収納し、同時にケース１５０の開口１５３内に第二の回転つまみ１３０の複数本の固定部１３５を回動自在に挿入する。次にその下側にクリック板１０７と摺動子１０３を取り付けた第二の回転型物９０を配置し、その際押釦つまみ１６１の押圧部１６５を第二の回転型物９０の挿入部９４に挿入すると同時に、第二の回転つまみ１３０の各固定部１３５の先端を第二の回転型物９０の取付部９９に挿入してその先端を第二の回転型物９０の下面側で熱カシメする。
【００２３】
次にその下側に第一の回転つまみ５０を配置し、更にその下側に、第二のフレキシブル回路基板８１を取り付けた取付部材１２０を配置し、ケース１５０と取付部材１２０間を図示しない取付手段（ケース１５０下面から突出する小突起を取付部材１２０に設けた小孔に挿入してその先端を熱カシメすること）によって取り付ける。なお取付部材１２０上への第二のフレキシブル回路基板８１の取り付けは、取付部材１２０の上面に基板挿通部１３１を通して配置された第二のフレキシブル回路基板８１の固定部８９に取付部材１２０の係止部１４１を挿入してその先端を熱カシメして固定することによって行われている。このとき取付部材１２０の貫通部１２５内に第二の回転型物９０のつまみ軸支部９３が挿入され、また取付部材１２０の第二の軸支部１２７の外周側面に第二の回転型物９０の第二の軸部９７の内周側面が係合され、これら第二の軸支部１２７と第二の軸部９７の係合によって第二の回転型物９０は取付部材１２０に対して回動自在に軸支される。
【００２４】
次にその下面側に第一の回転型物４０を配置し、その際第一の回転つまみ５０に設けた取付突起５３，５６をそれぞれ第一の回転型物４０の取付孔４７，４７に挿入し、その先端を熱カシメする。このとき第一の回転型物４０の第一の軸部４３の内周側面に取付部材１２０の第一の軸支部１２９の外周側面が係合し、これら第一の軸部４３と第一の軸支部１２９の係合によって第一の回転型物４０は取付部材１２０に対して回動自在に軸支される。次に取付部材１２０の下面に設けた弾発手段収納部１３５内に弾発手段（以下この実施形態では「コイルスプリング」という）２００を収納する。このとき弾発手段収納部１３５内には第一の軸部４３の切り欠かれた部分が位置しており、従ってコイルスプリング２００の両端面は、弾発手段収納部１３５内の両端部近傍に位置している第一の回転型物４０の一対の当接面４８に当接（弾接）する。そしてその下側に二段押圧スイッチ機構１７０を取り付けた第一のフレキシブル回路基板３１と基台１０とを配置し、その際取付部材１２０の係合部１２３を第一のフレキシブル回路基板３１の取付部３５と基台１０の取付部１１に挿入してその先端を基台１０の下面で熱カシメする。これによって多機能型電子部品１が完成する。
【００２５】
図２，図３に示すように多機能型電子部品１は、第一の回転つまみ５０と、第一の回転つまみ５０と一体に回転する第一の回転型物４０と、第一の回転型物４０の回転によってその電気的出力を変化する第一の電気的機能部６０とを有する第一の回転式電子部品２０と、第一の回転式電子部品２０の上部に積み重ねて設置され、第二の回転つまみ１３０と、第二の回転つまみ１３０と一体に回転する第二の回転型物９０と、第二の回転型物９０の回転によってその電気的出力を変化する第二の電気的機能部１１０とを有する第二の回転式電子部品７０と、第二の回転つまみ１３０の中央に設置される押釦つまみ１６１と、押釦つまみ１６１の下部に設けた押圧部１６５によって押圧されることでその電気的出力を変化する第三の電気的機能部１７０とを有する押圧式電子部品１６０と、を具備して構成されている。
【００２６】
そして第一の回転つまみ５０を回動すれば、これと一体に第一の回転型物４０が回動し、スイッチパターン３３上を摺動子６１が摺動してその電気的出力を変化する。同時に第一の回転つまみ５０を回動すると、弾発手段収納部１３５内のコイルスプリング２００は一方の当接面４８によって弾発手段収納部１３５内で圧縮されるので、第一の回転つまみ５０の回動を解除すれば、第一の回転つまみ５０は元の中立位置に自動復帰し、第一の電気的機能部６０の出力も元の状態に自動復帰する。次に第二の回転つまみ１３０を回動すれば、これと一体に第二の回転型物９０が回動し、スイッチパターン８５上を摺動子１０３が摺動してその電気的出力を変化する。同時にクリック弾性板１８０の弾接部１８１がクリック板１０７の開口１０９内への係合離脱を繰り返すことで、クリック感覚を生じる。なお第二の回転つまみ１３０は３６０°自由に回転する。次に押釦つまみ１６１のつまみ本体部１６３を押圧すれば、自動復帰用コイルバネ１９０の弾発力に抗して押釦つまみ１６１が下降し、その押圧部１６５の下端が二段押圧スイッチ機構１７０の押圧部１７１を押圧してそのスイッチを二段階でオンする。前記押釦つまみ１６１への押圧を解除すれば、自動復帰用コイルバネ１９０の弾発力及び二段押圧スイッチ機構１７０の自動復帰力の両者によって押釦つまみ１６１は元の位置に自動復帰し、二段押圧スイッチ機構１７０のスイッチはオフとなる。
【００２７】
そして上記構成の多機能型電子部品１は、第一の回転式電子部品２０と、第一の回転式電子部品２０の上部に積み重ねて設置される第二の回転式電子部品７０と、第二の回転つまみ１３０の中央に設置される押圧式電子部品１６０とを具備して構成されているので、二種類の回転式電子部品２０，７０と押圧式電子部品１６０とを一体化してなる多機能型電子部品１をコンパクトに集積化することができる。
【００２８】
またこの多機能型電子部品１は、第一の回転型物４０と第二の回転型物９０の間に取付部材１２０を設置し、取付部材１２０に第二の回転型物９０を回動自在に軸支する第二の軸支部１２９を設け、且つ第二の回転型物９０の前記第二の軸支部１２９に軸支されている部分の内側部分に形成される挿入部９４内に押釦つまみ１６１の押圧部１６５を貫通することによって、取付部材１２０の下側に設置された第三の電気的機能部１７０を押圧部１６５によって操作するように構成したので、第三の電気的機能部１７０を取付部材１２０の上ではなくその下側に設置でき、従って二種類の回転式電子部品２０，７０と押圧式電子部品１６０とを一体化してなる多機能型電子部品１であっても、その厚みの薄型化が図れる。
【００２９】
また第一の回転型物４０の下側に設置される第一のフレキシブル回路基板３１と、第一の回転型物４０と第二の回転型物９０の間に設置される第二のフレキシブル回路基板８１とを具備し、第一のフレキシブル回路基板３１上に第一，第三の電気的機能部６０，１７０を設け、第二のフレキシブル回路基板８１上に第二の電気的機能部１１０を設け、さらに第一，第二のフレキシブル回路基板３１，８１を一枚の合成樹脂フイルム上に形成したので、部品点数を削減できるばかりか、第一，第三の電気的機能部６０，１７０を第一のフレキシブル回路基板３１上に設置したので、積層するフレキシブル回路基板は上下二枚で良く、その厚みの薄型化が図れる。
【００３０】
なお上記実施形態では取付部材１２０に設けた第二の軸支部１２７の外周側面と第二の回転型物９０に設けた第二の軸部９７の内周側面とによって第二の回転型物９０を回動自在に軸支したが、その代わりに、取付部材１２０に設けた第二の軸支部１２７の内周側面と第二の回転型物９０に設けたつまみ軸支部９３の外周側面とによって第二の回転型物９０を回動自在に軸支しても良い。この場合はつまみ軸支部９３が第二の回転型物９０の回転方向の軸支と、押釦つまみ１６１の上下方向の軸支とを同時に行うこととなる。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第一，第二の電気的機能部６０，１１０として、スイッチパターンに摺動子を摺接させるタイプのスイッチ機構を用いたが、他の各種構造のスイッチ機構でも良く、またスイッチ機構ではなく可変抵抗器等であってもよい。場合によっては第一，第二のフレキシブル回路基板３１，８１を用いない構造のスイッチ機構やその他の電気的機能部であっても良い。要は第一，第二の回転型物４０，９０の回転によってその電気的出力を変化する電気的機能部であれば、どのような構造のものであっても良い。また第三の電気的機能部１７０も押釦つまみ１６１の押圧部１６５によって押圧されることでその電気的出力を変化する機構であれば、二段押圧スイッチ機構でも、一段押圧スイッチ機構でも、可変抵抗器でも、その他の各種機構であっても良い。また上記実施形態では基板として一枚のフレキシブル回路基板を用いたが、第一のフレキシブル回路基板３１と第二のフレキシブル回路基板８１とを別々のフレキシブル回路基板で構成しても良く、また硬質基板を用いて構成しても良い。
【図面の簡単な説明】
【００３２】
【図１】多機能型電子部品１の斜視図である。
【図２】図１に示す多機能型電子部品１のＡ−Ａ線上断面概略図である。
【図３】図１に示す多機能型電子部品１のＢ−Ｂ線上断面概略図である。
【図４】基台１０とフレキシブル回路基板３０とを示す斜視図である。
【符号の説明】
【００３３】
１  多機能型電子部品
１０  基台
２０  第一の回転式電子部品
３０  フレキシブル回路基板（回路基板）
３１  第一のフレキシブル回路基板（第一の回路基板）
４０  第一の回転型物
４３  第一の軸部
５０  第一の回転つまみ
６０  第一の電気的機能部
７０  第二の回転式電子部品
８１  第二のフレキシブル回路基板（第二の回路基板）
９０  第二の回転型物
９４  挿入部
９７  第二の軸部
１１０  第二の電気的機能部
１２０  取付部材
１２７  第二の軸支部
１２９  第一の軸支部
１３０  第二の回転つまみ
１５０  ケース
１６０  押圧式電子部品
１６１  押釦つまみ
１６５  押圧部
１７０  二段押圧スイッチ機構（第三の電気的機能部）
【図１】
2006140049.tif 000003
【図２】
2006140049.tif 000004
【図３】
2006140049.tif 000005
【図４】
2006140049.tif 000006